(57)【要約】【課題】美的視認性を向上しながら前面扉の表面にガラス板を簡単かつ確実に取り付けることができる冷蔵庫を提供する。【解決手段】冷蔵室３の右扉３ｂの前面はガラス板材２１で全面的に覆われ、この右扉３ｂの四辺の外周端部には上下左右４個の扉キャップ３１、３３、３５、３７が取り付けられ、これらの扉キャップのうちの右側扉キャップ３７にはガラス板材２１の端部を咥え込んで保持する咥え込み部３７ａが設けられ、左側扉キャップ３５にはガラス板材２１の表面が露出するようにガラス板材２１の端部に突き当てられて保持する突き当て部である角部３５ａが設けられ、上側および下側扉キャップ３１、３３にはガラス板材２１の端部を咥え込んで保持する咥え込み部が設けられている。【選択図】図３
2020112351.tif 000002
【特許請求の範囲】
【請求項１】
前面開口部を開閉する回転式扉の前面を覆う前面板と、
前記前面板を支持する支持部材と、
を有し、
前記支持部材には、前記前面板の表面が露出するように前記前面板の側部を覆う覆い部が設けられ、
前記覆い部は、前記回転式扉の自由端側に設けられ、
前記回転式扉の自由端側における前記前面板の側部の表面側の端部に斜面を有し、
前記覆い部は、前記斜面における前記前面板の側部側の端縁を覆う一方、前記斜面における前記前面板の前面側の端縁を露出させる冷蔵庫。
【請求項２】
前面開口部を開閉する回転式扉の前面を覆う前面板と、
前記前面板を支持する支持部材と、
を有し、
前記支持部材には、前記前面板の表面が露出するように前記前面板の側部を覆う覆い部が設けられ、
前記前面板の側部の表面側の端部に斜面を有し、
前記覆い部は、前記斜面における前記前面板の側部側の端縁を覆う一方、前記斜面における前記前面板の前面側の端縁を露出させる冷蔵庫。
【請求項３】
前記回転式扉が観音開き式扉であって、前記観音開き式扉における左右両方の前記回転式扉の自由端側の前記前面板の端部の表面が露出している請求項１または２に記載の冷蔵庫。
【発明の詳細な説明】
【技術分野】
【０００１】
本発明の実施形態は、冷蔵庫に関する。
【背景技術】
【０００２】
冷蔵庫は、調理中に頻繁に使用され、台所での使い勝手が良いように台所の中心となるような比較的目立つ場所などに設置されるものであるため、その外観、特に前面扉の表面は、常に清潔できれいなように掃除し易いことが必要である。
【０００３】
このような必要性に応えて、冷蔵庫の前面扉の表面をガラス板で覆うように前面扉の表にガラス板を取り付け、冷蔵庫の前面扉の表面を掃除しやすいようにすることが行われている(例えば、特許文献1参照)。
【０００４】
冷蔵庫の前面扉をガラス板で覆えば、冷蔵庫の前面扉は掃除し易く、常にきれいで清潔に保つことができるが、ガラス板を冷蔵庫の前面扉の表面に確実かつきれいに取り付けることは比較的難しく、その取り付け方法が種々検討され、比較的簡単できれいに取り付ける方法が要望されている。
【先行技術文献】
【特許文献】
【０００５】
【特許文献１】特開２０１１−５８７８７号公報
【発明の概要】
【発明が解決しようとする課題】
【０００６】
本発明は、上記に鑑みてなされたもので、その目的とするところは、美的視認性を向上しながら前面扉の表面にガラス板を簡単かつ確実に取り付けることができる冷蔵庫を提供することにある。
【課題を解決するための手段】
【０００７】
実施形態の冷蔵庫は、前面開口部を開閉する回転式扉の前面を覆う前面板と、前記前面板を支持する支持部材と、を有し、前記支持部材には、前記前面板の表面が露出するように前記前面板の側部を覆う覆い部が設けられ、前記覆い部は、前記回転式扉の自由端側に設けられ、前記回転式扉の自由端側における前記前面板の側部の表面側の端部に斜面を有し、前記覆い部は、前記斜面における前記前面板の側部側の端縁を覆う一方、前記斜面における前記前面板の前面側の端縁を露出させる。
【図面の簡単な説明】
【０００８】
【図１】本発明の一実施形態に係わる冷蔵庫の全体を示す斜視図である。
【図２】図１に示した冷蔵庫の冷蔵室の観音開き式扉の右扉のみを分解して示す分解斜視図である。
【図３】図１において矢印Ａ−Ａで示す線に沿って取った右扉の横断面図である。
【発明を実施するための形態】
【０００９】
以下、図面を用いて、本発明を実施するための形態(以下、実施形態と称する)を説明する。
【００１０】
図１は、本発明の一実施形態に係わる冷蔵庫の全体を示す斜視図である。
【００１１】
同図に示す冷蔵庫１は、最上部に冷蔵室３が設けられ、この冷蔵室３は、その前面開口部に左扉３ａおよび右扉３ｂからなる観音開き式扉が取り付けられている。
【００１２】
また、冷蔵庫１は、冷蔵室３の下側に野菜室７が設けられ、この野菜室７の真下に製氷室８と冷蔵から冷凍までの任意の冷却状態に可変し得る切替室とも称する上部冷凍室９が左右に並んで設けられ、これら製氷室８と上部冷凍室９の直下の最下部には冷凍室１０が設けられている。
【００１３】
なお、野菜室７、製氷室８、上部冷凍室９および冷凍室１０は、それぞれ引出し式扉７ａ、８ａ、９ａおよび１０ａが前面開口部に取り付けられているが、これらの野菜室７、製氷室８、上部冷凍室９および冷凍室１０のそれぞれの本体は、それぞれの引出し式扉７ａ、８ａ、９ａおよび１０ａの後側に枠体などを介して取り付けられていて、それぞれの引出し式扉を前方に引き出すと、それぞれの本体も同様に前方に引き出されるようになっている。
【００１４】
すなわち左扉３ａおよび右扉３ｂのそれぞれの下端部には、それぞれ指を掛けるための凹状の取っ手３ａｂ、３ｂｂが扉内部に設けられている。同様に、引出し式扉７ａ、８ａ、９ａおよび１０ａの上端部には、それぞれ指を掛けるための凹状の取っ手７ｂ、８ｂ、９ｂおよび１０ｂが扉内部に設けられている。
【００１５】
また、図１に示すように、観音開きの左扉３ａおよび右扉３ｂの外表面は、ガラス板１３，１４によって全面的に覆われて構成されている。同様にして、引出し式扉７ａ、８ａ、９ａおよび１０ａ６の外表面は、ガラス板１７、１８、１９および２０で全面的に覆われて構成されている。これらのガラス板１７、１８、１９および２０は、透明あるいは透光性を有する着色されたガラス素材であるが、例えばアクリル樹脂等であっても構わない。これにより各扉の表面は掃除し易く、常にきれいで清潔に保つことができるようになっている。
【００１６】
なお、冷蔵室３、野菜室７、製氷室８、上部冷凍室９および冷凍室１０のそれぞれの扉は、室内に面する最も内側が、例えば鋼板などからなる内板で構成され、この内板と前記ガラス板との間の空間に真空断熱材が配設されると共に、発泡ウレタンなどからなる発泡断熱材が充填されて、断熱性能を向上するようにしている。さらに、発泡断熱材がガラス板の内面に接着してガラス板を内板に固着し、この発泡断熱材と後述する上下左右４個の扉キャップとによりガラス板１７、１８、１９および２０が外れないように固定している。
【００１７】
図２は、図１に示した冷蔵庫１の冷蔵室３の観音開き式扉の一方の右扉３ｂのみを分解して示す分解斜視図である。図１に示した冷蔵庫１の冷蔵室３の観音開き式扉を構成する左扉３ａと右扉３ｂ、および野菜室７、製氷室８、上部冷凍室９および冷凍室１０のそれぞれの引出し式扉７ａ、８ａ、９ａ、１０ａの構造は、基本的に図２に示す冷蔵室３の右扉３ｂと同じであるので、以下では、冷蔵室３の右扉３ｂを代表して説明する。
【００１８】
図２に示す冷蔵室３の右扉３ｂは、当該右扉３ｂの前面を全面的に覆うように設けられた外表面のガラス板１３を構成するガラス板材２１を有する。なお、図２において、ガラス板材２１の設けられている側が右扉３ｂの前面側であり、ガラス板材２１と反対側の後方が冷蔵室３の内部に向かう右扉３ｂの後側である。また、ガラス板材２１の上下左右の外周部には、ガラス板材２１を上下左右の外側から保持する上側扉キャップ３１、下側扉キャップ３３、左側扉キャップ３５および右側扉キャップ３７がそれぞれ設けられ、これらの上下左右４個の扉キャップ３１、３３、３５、３７でガラス板材２１が固定的に保持されている。
【００１９】
また、前記ガラス板材２１の内側には、矩形の枠体である扉内側組立体２５がガラス板材２１の外周部に沿うように設けられ、この扉内側組立体２５により右扉３ｂを全体的かつ一体的に組み立てている。更に、この扉内側組立体２５の内側であって、冷蔵室３の内部に向かう内側には、矩形の枠体２７が設けられている。なお、図示しないが、この枠体２７には、例えば鋼板などからなる内板が取り付けられるとともに、この内板と前記ガラス板材２１との間の空間に発泡ウレタンなどからなる発泡断熱材が充填され、断熱性能を向上するとともに、発泡断熱材がガラス板材２１の内面に接着してガラス板材２１を固着し、ガラス板材２１が外れたり、反ったりしないように固定している。
【００２０】
図３は、図１において矢印Ａ−Ａで示す線に沿って取った右扉３ｂの横断面図である。更に詳しくは、図２において、矢印Ｂ−Ｂで示す線に沿って取った右扉３ｂのガラス板材２１と左側扉キャップ３５および右側扉キャップ３７からなる右扉３ｂの前側部分の構造をガラス板材２１に左側および右側扉キャップ３５、３７が当接して保持している状態で示す断面図である。
【００２１】
図３に示すように、左側扉キャップ３５は、前方（同図では下方）に伸びた端部にＬ字形に凹んだ角部３５ａを有し、この角部３５ａの下方に伸びた垂直面３５ｂにはガラス板材２１の左端部２１ａの端面２１ｂが当接し、また角部３５ａの横に伸びた水平部３５ｃにはガラス板材２１の裏面２１ｃが接触して、具体的には、両面接着テープ４１によって接着されて固定されている。この左側扉キャップ３５の角部３５ａの垂直面３５ｂを構成する突出部３５ｄは、先端が丸く形成され、この丸い先端３５ｅは、ガラス板材２１の前面２１ｄよりも突出せず、後方に位置している。すなわち、ガラス板材２１の前面２１ｄは、左側扉キャップ３５の先端３５ｅよりも前方に位置している。なお、左側扉キャップ３５の角部３５ａは、左右方向突き当て部を構成しているものである。
【００２２】
また、左側扉キャップ３５の角部３５ａの水平部３５ｃを構成する延出部３５ｆは、ガラス板材２１の裏面２１ｃに沿って延出しているが、この延出部３５ｆの水平部３５ｃとガラス板材２１の裏面２１ｃとの間には、上述したように、両面接着テープ４１が設けられ、この両面接着テープ４１によりガラス板材２１の裏面２１ｃは左側扉キャップ３５の水平部３５ｃに接着固定されている。
【００２３】
更に、左側扉キャップ３５の突出部３５ｄの垂直面３５ｂに当接するガラス板材２１の端面２１ｂの下端部、すなわちガラス板材２１の左端部２１ａの表側の角部２１ｅは、角部の切削、いわゆるＣ面カットされている。このＣ面カットは、単に角部の切削による切除だけであっても良いが、切除後、研磨し丸みを持たせるようにしても良い。
【００２４】
そして、このＣ面カットされた角部２１ｅの中程まで、左側扉キャップ３５の突出部３５ｄの先端３５ｅは延出している。すなわち、左側扉キャップ３５の突出部３５ｄの先端３５ｅは、Ｃ面カットされた角部２１ｅの半分以下の所、すなわち２分の１の以下の所で終端し、それ以上延出せず、これによりＣ面カットされたガラス板材２１の角部２１ｅが露出し、この部分に水分が滞留することが防止され、ひいてはこの部分における「かび」の発生が防止されている。
【００２５】
更に詳しくは、Ｃ面カットされたガラス板材２１の角部２１ｅが露出するように左側扉キャップ３５の先端３５ｅをガラス板材２１の前面２１ｄよりも後方に位置させることにより、冷蔵室３の冷気による冷却によって左側扉キャップ３５の突出部３５ｄとガラス板材２１の端面２１ｂとの間に発生する水滴の着床が防止され、この部分が乾燥された状態を維持でき、これによりこの部分におけるかびの発生を防止することができる。
【００２６】
また、ガラス板材２１の角部２１ｅを露出してＣ面カットすることにより、ガラス板材２１の端部をきれいに見せ、美的視認性を向上し、冷蔵庫１の商品価値を向上させることができるとともに、Ｃ面カット構造とすることにより、ガラス板材２１の損傷を防止することもできる。
【００２７】
他方、右側扉キャップ３７は、図３に示すように、前方（同図では下方）に伸びた端部に、左右方向咥え込み部を構成するほぼコの字形の咥え込み部３７ａが形成され、この咥え込み部３７ａにガラス板材２１の右端部２１ｆが覆われるように咥え込まれている。
【００２８】
咥え込み部３７ａは、ガラス板材２１の前面２１ｄに裏面が接触する短い前側延出部３７ｂ、ガラス板材２１の裏面２１ｃに両面接着テープ４３を介して前面が接着固定される長めの後側延出部３７ｃ、および前側延出部３７ｂの右側端部と後側延出部３７ｃの右側端部とを連結している連結部３７ｄから構成されている。
【００２９】
また、咥え込み部３７ａの連結部３７ｄの内側面とガラス板材２１の右端部２１ｆの端面２１ｇとの間には、間隙４５が形成されている。この間隙４５は、ガラス板材２１の大きさ、すなわち図３で横方向の長さが製造上の理由などでばらついて、ガラス板材２１が所定の寸法よりも長くなったとしても、この長くなった分を間隙４５で吸収して、ガラス板材２１が左側扉キャップ３５の突出部３５ｄと右側扉キャップ３７の連結部３７ｄとの間に適確に取り付けられ得るようにしているものである。
【００３０】
なお、図３では図示しないが、ガラス板材２１の内側には発泡ウレタンなどからなる発泡断熱材が充填されて、右扉３ｂの断熱性能を向上するとともに、この発泡断熱材がガラス板材２１の内面に接着してガラス板材２１を図示しない内板に固定し、この発泡断熱材と左側扉キャップ３５、右側扉キャップ３７および上側扉キャップ３１、下側扉キャップ３３とによりガラス板材２１が外れないように、すなわち離脱しないように固定するとともに、ガラス板材２１の前面側への反りを防止している。また、上側扉キャップ３１、下側扉キャップ３３、左側扉キャップ３５および右側扉キャップ３７には、ガラス板材２１を支える補強部があり、これによりガラス板材２１が補強されている。
【００３１】
図３に示すように、ガラス板材２１は、左右方向においては左側扉キャップ３５および右側扉キャップ３７で保持されているのに対して、図２に示したように、ガラス板材２１は、上下方向においては上側扉キャップ３１および下側扉キャップ３３によって固定的に保持されているが、この上下方向における上側扉キャップ３１および下側扉キャップ３３は、図２で示した右側扉キャップ３７の咥え込み部３７ａと同様な咥え込み部を有し、この咥え込み部により上下方向から上側扉キャップ３１および下側扉キャップ３３でガラス板材２１を保持している。なお、この上側扉キャップ３１および下側扉キャップ３３の咥え込み部の構造は、図３に示した右側扉キャップ３７の咥え込み部３７ａと同様であり、その説明は省略する。
【００３２】
なお、図３においては、左右方向突き当て部を構成する角部３５ａがガラス板材２１の左端部２１ａに設けられ、左右方向咥え込み部を構成する咥え込み部３７ａがガラス板材２１の右端部２１ｆに設けられているが、本発明はこれに限定されるものでなく、角部３５ａがガラス板材２１の右端部２１ｆに対応して右側扉キャップ３７に設けられ、咥え込み部３７ａがガラス板材２１の左端部２１ａに対応して左側扉キャップ３５に設けられてもよいものであり、要は角部３５ａがガラス板材２１の左右のいずれか一方に対応してあり、咥え込み部３７ａがガラス板材２１の他方に対応してあればよいものである。
【００３３】
ここで、図１に示す冷蔵庫１全体の扉について言及するにあたり、突き当て部となる角部３５ａと同じ構造の角部を有する扉キャップを突き当て扉キャップと称し、咥え込み部３７ａと同じ構造の咥え込み部を有する扉キャップを咥え込み扉キャップと称することにする。冷蔵庫１の観音開き式扉の左扉３ａの左端部の扉キャップは、咥え込み扉キャップであり、左扉３ａの右端部の扉キャップは、突き当て扉キャップである。観音開き式の右扉３ｂは、上述したように、左端部の扉キャップは、突き当て扉キャップであり、右端部の扉キャップは、咥え込み扉キャップである。これにより、観音開き式扉の左扉３ａおよび右扉３ｂの突き合うように対向する端部には、Ｃ面カットのある突き当て扉キャップが位置することにより、これにより冷蔵庫１の正面中央の美的視認性を向上し、きれいに見せている。また、観音開き式の左扉３ａおよび右扉３ｂの両方の上側扉キャップおよび下側扉キャップは、すべて咥え込み扉キャップである。
【００３４】
更に、野菜室７、製氷室８、上部冷凍室９および冷凍室１０のそれぞれの引出し式扉７ａ、９ａ、１１ａおよび１３ａは、左右方向の扉キャップのいずれか一方が突き当て扉キャップであり、他方が咥え込み扉キャップである。また、上下方向の扉キャップは、すべて咥え込み扉キャップである。
【００３５】
以上のように構成される冷蔵庫１において、左扉３ａおよび右扉３ｂからなる観音開き式扉の前面は、全面的にガラス板材２１で覆われ、このガラス板材２１は、左右方向の端部のいずれか一方が突き当て扉キャップで保持され、他方が咥え込み扉キャップで保持されるとともに、ガラス板材２１の内側には発泡ウレタンなどからなる発泡断熱材が充填されて、扉の断熱性能を向上するとともに、この発泡断熱材がガラス板材２１の内面に接着してガラス板材２１を内板に固定し、ガラス板材２１が離脱することを防止し、ガラス板材２１の前面側への反りを防止している。
【００３６】
また、突き当て扉キャップの表側の角部２１ｅは、Ｃ面カットされ、このＣ面カットされた角部２１ｅの中程の２分の１の以下の所まで左側扉キャップ３５の突出部３５ｄの先端３５ｅは延出するも、それ以上延出していないため、これによりＣ面カットされたガラス板材２１の角部２１ｅが露出し、この部分に水分が滞留することが防止され、ひいてはこの部分におけるかびの発生が防止されている。更に、ガラス板材２１の角部２１ｅを露出してＣ面カットすることにより、ガラス板材２１の端部をきれいに見せ、美的視認性を向上し、冷蔵庫１の商品価値を向上させることができるとともに、ガラス板材２１が割れ易くなることを防止することもできる。
【００３７】
また、右側扉キャップ３７の咥え込み部３７ａの連結部３７ｄの内側面とガラス板材２１の右端部２１ｆの端面２１ｇとの間には、間隙４５が形成されているため、ガラス板材２１の大きさが製造上の理由などでばらついて、長くなったとしても、間隙４５で吸収して、ガラス板材２１が左側扉キャップ３５の突出部３５ｄと右側扉キャップ３７の連結部３７ｄとの間に適確に取り付けられるようになっている。
【００３８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【符号の説明】
【００３９】
１  冷蔵庫
３  冷蔵室
３ａ  左扉
３ｂ  右扉
７  野菜室
７ａ  引出し式扉
８  製氷室
８ａ  引出し式扉
９  上部冷凍室
９ａ  引出し式扉
１０  冷凍室
１０ａ  引出し式扉
２１  ガラス板材
２１ａ  左端部
２１ｂ  端面
２１ｃ  裏面
２１ｄ  前面
２１ｅ  角部
２１ｆ  右端部
２１ｇ  端面
２５  扉内側組立体
２７  枠体
３１  上側扉キャップ
３３  下側扉キャップ
３５  左側扉キャップ
３５ａ  角部
３５ｂ  垂直面
３５ｃ  水平部
３５ｄ  突出部
３５ｅ  先端
３５ｆ  延出部
３５ｇ  咥え込み部
３７  右側扉キャップ
３７ａ  咥え込み部
３７ｂ  前側延出部
３７ｃ  後側延出部
３７ｄ  連結部
４１、４３  両面接着テープ
４５  間隙
【図１】
2020112351.tif 000003
【図２】
2020112351.tif 000004
【図３】
2020112351.tif 000005